(57)【要約】【課題】異音、振動等の発生を防止して軽快且つ円滑なスプ−ルの前後動案内操作が行える魚釣用スピニングリ−ルを提供すること。【解決手段】スプ−ル軸６の後端に摺動体７がビス１６で取り付けられて摺動体７は板状の本体部７ａと突出部７ｂとで形成され、本体部７ａには縦方向の係合溝７ｃが形成され、係合溝７ｃにはＯリングからなる弾性体２９を介在させて連動歯車８の係合突起８ｃが挿入されている。リ−ル本体１内の側壁面に軸筒からなる支持部１ｃが形成されて連動歯車８が軸承され、連動歯車８は駆動軸２外周に形成された歯車２ａに噛合されている。連動歯車８は平歯車状に形成されて外周に歯部８ａが形成され、中心に軸孔８ｂが形成されて一側面の偏心位置に係合突起８ｃが形成され、係合突起８ｃの外周には周溝８ｄが形成されてＯリングからなる弾性体２９が嵌合されている。【選択図】　　　　図２
2004065119.tif 000002
【特許請求の範囲】
【請求項１】
リ−ル本体に支持された駆動軸に連動して回転する連動歯車の偏芯位置に形成された係合突起が、スプ−ル軸の後部に取り付けられた摺動体の係合溝に係合して前記駆動軸の回転運動をスプ−ル軸の直線往復運動に変換する往復動装置を備えた魚釣用スピニングリ−ルにおいて、前記係合溝と係合突起の間に弾性体を介在して摺接係合したことを特徴とする魚釣用スピニングリ−ル。
【発明の詳細な説明】
【０００１】
【発明の属する技術分野】
本発明は、リ−ル本体に装着したハンドルの回転操作運動をスプ−ルの前後往復動に変換するスプ−ル往復動装置をリ−ル本体内に設けた魚釣用スピニングリ−ルの改良に関する。
【０００２】
【従来の技術】
上記スプ−ル往復動装置の一般的な構成として、例えば、特開平２００１−３４６４８４号公報にも開示されているように、ハンドルの回転に連動して回転する連動歯車の偏芯位置に形成された係合突起を、スプ−ル軸の後部に取り付けられた摺動体の係合溝に係合させてハンドルからの回転運動をスプ−ル軸の直線往復動に変換する構成が従来から知られている。
しかしながら、摺動体の係合溝内に連動歯車の係合突起は緩く嵌入されて嵌合ガタを有する状態で、連動歯車の回転運動が係合溝内の係合突起の係合作用を介して往復動運動に変換させる構成のため、スプ−ルの前後移動案内時に異音が発生し易いと共に摺動体の前後移動変換時にこの嵌合ガタの影響により、振動も発生する等、不快であると共に軽快且つ円滑なスプ−ルの前後動案内操作が行えない等の課題が残されている。
【０００３】
【発明が解決しようとする課題】
解決しようとする問題点は、スプ−ルの前後移動案内時に異音、振動等が発生し、不快であると共に軽快且つ円滑なスプ−ルの前後動案内操作が行えないことである。
【０００４】
本発明の目的は前記欠点に鑑み、異音、振動等の発生を防止して軽快且つ円滑なスプ−ルの前後動案内操作が行える魚釣用スピニングリ−ルを提供することである。
【０００５】
【課題を解決するための手段】
上記課題を解決するために、
請求項１に係わる本発明は、リ−ル本体に支持された駆動軸に連動して回転する連動歯車の偏芯位置に形成された係合突起が、スプ−ル軸の後部に取り付けられた摺動体の係合溝に係合して前記駆動軸の回転運動をスプ−ル軸の直線往復運動に変換する往復動装置を備えた魚釣用スピニングリ−ルにおいて、前記係合溝と係合突起の間に弾性体を介在して摺接係合したことを要旨とするものである。
【０００６】
【発明の実施の形態】
請求項１の本発明により、摺動体７の係合溝７ｃと連動歯車８の係合突起８ｃ、８ｅ、８ｇ、８ｈとの間に弾性体２９、３０、３１、３２を介在して摺接係合する構成としたので、係合溝７ｃと係合突起８ｃ、８ｅ、８ｇ、８ｈとの間に生じる隙間によるガタ付きが弾性体２９、３０、３１、３２で吸収され、前後動案内時の異音、振動等の発生が防止でき、円滑なスプ−ル前後動案内操作が実現できる。
【０００７】
【実施例】
以下、図示の実施例によって本発明を説明すると、図１から図３は第１実施例で、図１は魚釣用スピニングリ−ルの断面平面図、図２はリ−ル本体の拡大断面平面図、図３はリ−ル本体の拡大断面背面図である。
【０００８】
魚釣用スピニングリ−ルは、リ−ル本体１の一側開口が蓋体１０で閉塞され、蓋体１０はリ−ル本体１に図示しないビスで取り付けられている。
リ−ル本体１と蓋体１０に取り付けられた軸受１１、１２で駆動軸２が軸承されている。
駆動軸２の外周一側には駆動歯車２′が固定され、駆動軸２の外周他側に歯車２ａが形成されている。
リ−ル本体１の前部には軸受１３で回転軸筒３が回転自在に軸受されると共に前側に突出されている。
軸受１３より前側の回転軸筒３の外周に逆転防止爪車１４とロ−タ４の中心軸筒４ａが嵌合されてナット１５で固定されている。
【０００９】
回転軸筒３の基端３ａは軸受部１ａの透孔１ｂで回転自在に軸承され、基端３ａの前側に一体的に形成されたピニオン３ｂに駆動歯車２′が噛合されてロ−タ４はハンドル２″の回転に連動して回転されるように支持されている。
回転軸筒３の中心孔３ｃには先端にスプ−ル５が取り付けられたスプ−ル軸６が前後往復動可能に摺動自在に挿入され、スプ−ル軸６の後端の回り止め部６ａに摺動体７がビス１６で取り付けられている。
リ−ル本体１内の側壁面に軸筒からなる支持部１ｃが形成されて連動歯車８が軸承されると共に、側壁面に形成されたリブからなる環状の台部１ｄ上に載せられている。
リ−ル本体１内の側壁面には摺動体７が摺接される案内部１ｅ、１ｆが形成されている。
連動歯車８は駆動軸２外周に形成された歯車２ａに噛合されている。
【００１０】
駆動軸２は駆動歯車２′にインサ−ト成形されている。
駆動軸２にはハンドル２″が左右交換自在に螺合されている。
ハンドル２″にはハンドルア−ム１７が折り畳み可能に連結されて端部にハンドルツマミ１８が回転自在に軸承されている。
【００１１】
ロ−タ４は中心軸筒４ａで回転軸筒３に取り付けられ、中心軸筒４ａと前壁４ｂと大径の筒部４ｃと大径の筒部４ｃの基部４ｄ、４ｅの外周から前方に向けて突出された一対の支持腕４ｆ、４ｇとで形成されている。
一対のベ−ル支持腕４ｆ、４ｇの先端部外側に一方のベ−ル支持部材１９と他方のベ−ル支持部材２０がビス２１、２２で釣糸巻取位置と釣糸放出位置に反転自在に軸承されている。
一方のベ−ル支持部材１９には釣糸案内ロ−ラ２３の取付部２４が取り付けられている。
他方のベ−ル支持部材２０と釣糸案内ロ−ラ２３の取付部２４の間にベ−ル２５が取り付けられている。
【００１２】
スプ−ル５に巻回された釣糸２６は釣糸案内ロ−ラ２３で案内されて引き出される。
スプ−ル５の外形は、釣糸２６が巻回される外周の釣糸巻回胴部５ａと、前側の鍔部５ｂと、後側の大径の筒部５ｃとで形成されている。
【００１３】
摺動体７は板状の本体部７ａと突出部７ｂとで形成されている。
本体部７ａには縦方向の係合溝７ｃが形成され、突出部７ｂに横向きの回り止め透孔７ｄが形成されている。
更に突出部７ｂには回り止め透孔７ｄと直交するビス孔７ｅが形成されてビス１６が挿入されている。
更に摺動体７に案内部７ｆ、７ｇが形成されている。
摺動体７の案内部７ｆ、７ｇはリ−ル本体１に設けた案内部１ｅ、１ｆに摺接されてスプ−ル軸６に対する回転方向の動きの規制を図りながら前後方向に移動案内可能に設けられている。
摺動体７と連動歯車８の対向面は互いに接触しないように間隙αが形成されて摺動体７を前後方向に移動案内している。
【００１４】
連動歯車８は平歯車状に形成されて外周に歯部８ａが形成され、中心に軸孔８ｂが形成されて一側面の偏心位置に係合突起８ｃが形成されている。
中心の軸孔８ｂにリ−ル本体１内の軸筒からなる支持部１ｃが挿入されてＯリング２７を挾んでＥリング２８で抜け止めされている。
連動歯車８の係合突起８ｃの外周には周溝８ｄが形成されてＯリングからなる弾性体２９が嵌合されている。
摺動体７の係合溝７ｃにはＯリングからなる弾性体２９を介在させて係合突起８ｃが挿入されている。
【００１５】
魚釣用スピニングスピニングリ−ルの動作は、一方のベ−ル支持部材１９と他方のベ−ル支持部材２０が釣糸巻取位置にあって釣糸２６がスプ−ル５に巻回される方向にハンドルツマミ１８を握ってハンドルア−ム１７が回転されると、駆動歯車２′が回転されてピニオン３ｂを介して回転軸筒３が回転され、ロ−タ４が回転される。
駆動歯車２′が回転されると、駆動軸２が回転されて歯車２ａが回転され、連動歯車８が回転される。
連動歯車８の回転で摺動体７が係合突起８ｃで直線往復動されてスプ−ル軸６とスプ−ル５が直線往復動される。
即ち連動歯車８の回転運動で摺動体７とスプ−ル軸６とスプ−ル５が直線往復運動に変換される。
【００１６】
摺動体７の係合溝７ｃにＯリングからなる弾性体２９を介在させて連動歯車８の係合突起８ｃが挿入されていると、係合溝７ｃと係合突起８ｃとの間に生じる隙間によるガタ付きが弾性体２９で吸収される。
【００１７】
前記のように魚釣用スピニングリ−ルが構成されると、摺動体７の係合溝７ｃと連動歯車８の係合突起８ｃとの間にＯリングからなる弾性体２９を介在して摺接係合する構成としたので、係合溝７ｃと係合突起８ｃとの間に生じる隙間によるガタ付きが弾性体２９で吸収され、前後動案内時の異音、振動等の発生が防止でき、円滑なスプ−ル前後動案内操作が実現できる。
【００１８】
図４は第２実施例で、図４はリ−ル本体の拡大要部断面平面図である。
【００１９】
第２実施例では、連動歯車８の係合突起８ｃより短い係合突起８ｅにピン９の圧入用孔８ｆが穿設されてピン９の小径軸部９ａが圧入されている。
ピン９の軸部９ｂ外周にはＯリングからなる弾性体２９が嵌合されてピン９の頭部９ｃで抜け止めされ、摺動体７の係合溝７ｃにＯリングからなる弾性体２９を介在させて連動歯車８の係合突起８ｅ（ピン９）が挿入されている。
他の構成は前記第１実施例と略同一である。
【００２０】
図５は第３実施例で、図５はリ−ル本体の拡大要部断面平面図である。
【００２１】
第３実施例では、摺動体７の係合溝７ｃの内周壁に周溝７ｈが形成されてＯリングからなる弾性体３０が嵌合されている。
係合溝７ｃには連動歯車８の係合突起８ｃと全長が同径の係合突起８ｇが挿入され、摺動体７の係合溝７ｃにＯリングからなる弾性体３０を介在させて連動歯車８の係合突起８ｇが挿入されている。
他の構成は前記第１実施例と略同一である。
【００２２】
図６は第４実施例で、図６はリ−ル本体の拡大要部断面平面図である。
【００２３】
第４実施例では、連動歯車８の係合突起８ｈの外周に有底筒状の弾性体３１が嵌合されてカシメピン８ｉで抜け止めされている。
摺動体７の係合溝７ｃに有底筒状の弾性体３１が介在させて連動歯車８の係合突起８ｈが挿入されている。
他の構成は前記第１実施例と略同一である。
【００２４】
図７は第５実施例で、図７はリ−ル本体の拡大要部断面平面図である。
【００２５】
第５実施例では、摺動体７の係合溝７ｃの開口に凹部７ｉとネジ穴７ｊが形成されている。
凹部７ｉには平板リング状の弾性体３２と当て板３３が嵌合されてビス３４で抜け止めされている。
摺動体７の係合溝７ｃには連動歯車８の係合突起８ｃが平板リング状の弾性体３２を介在させて挿入されている。
他の構成は前記第１実施例と略同一である。
【００２６】
【発明の効果】
本発明は、以上説明したような形態で実施され、以下に記載されるような効果を奏する。
【００２７】
請求項１によれば、摺動体の係合溝と連動歯車の係合突起との間に弾性体を介在して摺接係合する構成としたので、係合溝と係合突起との間に生じる隙間によるガタ付きが弾性体で吸収され、前後動案内時の異音、振動等の発生が防止でき、円滑なスプ−ル前後動案内操作が実現できる。
【図面の簡単な説明】
【図１】第１実施例で、魚釣用スピニングリ−ルの断面平面図である。
【図２】同リ−ル本体の拡大断面平面図である。
【図３】同リ−ル本体の拡大断面背面図である。
【図４】第２実施例で、リ−ル本体の拡大要部断面平面図である。
【図５】第３実施例で、リ−ル本体の拡大要部断面平面図である。
【図６】第４実施例で、リ−ル本体の拡大要部断面平面図である。
【図７】第５実施例で、リ−ル本体の拡大要部断面平面図である。
【符号の説明】
１　リ−ル本体
２　駆動軸
６　スプ−ル軸
７　摺動体
７ｃ　係合溝
８　連続歯車
８ｃ、８ｅ、８ｇ、８ｈ　係合突起
２９、３０、３１、３２　弾性体
【図１】
2004065119.tif 000003
【図２】
2004065119.tif 000004
【図３】
2004065119.tif 000005
【図４】
2004065119.tif 000006
【図５】
2004065119.tif 000007
【図６】
2004065119.tif 000008
【図７】
2004065119.tif 000009